(57)【特許請求の範囲】
【請求項１】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
スキャーナ部と本体ハウジング部の間にある用紙収容スペースの一部を構成する第１支柱部の前方部の色彩が、そのスキャーナ部と本体ハウジング部の前方部の色彩より暗く、
画像形成装置本体の外壁の少なくとも一部を、第１支柱部の前方部で構成するようにしたことを特徴とする画像形成装置。
【請求項２】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
スキャーナ部と本体ハウジング部の間にある用紙収容スペースの一部を構成する第１支柱部の前方部の色彩が、そのスキャーナ部と本体ハウジング部の前方部の色彩より暗く、マンセルチャート（JIS）のマンセル値における明度の差が、３以上であり、
画像形成装置本体の外壁の少なくとも一部を、第１支柱部の前方部で構成するようにしたことを特徴とする画像形成装置。
【請求項３】
少なくとも、第１支柱部の前方部の色彩が、マンセルチャート（JIS）のマンセル値における明度が、２以下であることを特徴とする請求項１または請求項２に記載の画像形成装置。
【請求項４】
そのスキャーナ部の操作部の色彩を、第１支柱部の前方部の色彩と略同等としたことを特徴とする請求項１から請求項３までのいずれかに記載の画像形成装置。
【請求項５】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持し、第１支柱部の前方部が縦方向に凹凸がある第１支柱部と、そのスキャーナ部と本体ハウジング部との間にあり、装置の後方で保持する第２支柱部とを有する画像形成装置において、
第１支柱部の前方部の凹凸が、少なくとも、２面以上で構成されていて、かつ、見る角度によって、第1面のみ見える場合、第２面のみ見える場合、第1面と第２面ともに見える場合があり、さらに、胴内の用紙収容部のない方向から見た第1面の色彩よりも、胴内の用紙収容部のある方向から見た第２面の色彩のほうが暗い色彩にしたことを特徴とする請求項１から請求項４までのいずれかに記載の画像形成装置。
【請求項６】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
第１支柱部の前方部が、縦方向に凹凸があり、かつ、凹凸の単位面積あたりの数量によって影の見える量を変化させており、胴内の用紙収容部のない方向の凹凸の単位面積あたりの数量よりも、胴内の用紙収容部のある方向の凹凸の単位面積あたりの数量の方を多くすることを特徴とする請求項１から請求項４までのいずれかに記載の画像形成装置。
【請求項７】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
第１支柱部の前方部が、縦方向に凹凸があり、かつ、凹凸の間隔によって影の見える量を変化させており、胴内の用紙収容部のない方向の凹凸の間隔よりも、胴内の用紙収容部のある方向の凹凸の間隔の方を密にすることを特徴とする請求項１から請求項４までのいずれかに記載の画像形成装置。
【請求項８】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
第１支柱部の前方部が、縦に凹凸があり、かつ、見る角度によって影の見える量を変化させていることを特徴とする請求項１から請求項４までのいずれかに記載の画像形成装置。
【請求項９】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
０．６≧Ｌａ／Ｌｂ≧０．３
Lａ：後方に位置する第１支柱部の最前の前方部の位置と前方に位置するそのスキャーナ部と本体ハウジング部の最前の前方部の位置との距離
Ｌb：そのスキャーナ部の底面と胴内の用紙収容部における用紙排出トレーの最下位置との距離
上記の式を満たすことを特徴とする請求項１から請求項８までのいずれかに記載の画像形成装置。
【請求項１０】
定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
０．８≧Ｌａ／Ｌｃ≧０．６
Lａ：後方に位置する第１支柱部の最前の前方部の位置と前方に位置するそのスキャーナ部と本体ハウジング部の最前の前方部の位置との距離
Ｌｃ：そのスキャーナ部の底面と胴内の用紙収容部における用紙排出トレーとの間の平均距離
上記の式を満たすことを特徴とする請求項１から請求項８までのいずれかに記載の画像形成装置。
【発明の詳細な説明】
【技術分野】
【０００１】
本発明は、複写機、ファクシミリ、プリンタ等の画像形成装置、特に、排出さえた用紙を、原稿を読取る為のスキャーナ部とその用紙を上部に排出するトレーを内蔵した本体ハウジング部との中に収納する画像形成装置（以下、胴内排出型画像形成装置という。）に関する。
【背景技術】
【０００２】
従来、複写機、ファクシミリ、プリンタ等を有する画像形成装置には、複写機能の使用時に排出される転写紙を収容する用紙収容部（排出部）や、ファクシミリ機能又は、プリンタ機能の使用時に排出される受信シートを蓄える為の用紙収容部（排出部）をそなえたものがある。
【０００３】
さらに、その用紙収容部を原稿を読取る為のスキャーナ部とその用紙を上部に排出するトレーを内蔵した本体ハウジング部との中に収納する画像形成装置（以下、胴内排出型画像形成装置という。）がある。
【特許文献１】特開２０００−２８９９１７号公報
【発明の開示】
【発明が解決しようとする課題】
【０００４】
しかしながら、上記のような胴内排出型画像形成装置は、スキャーナ部と排出するトレーを内蔵した本体ハウジング部の間に、用紙が排出される。
【０００５】
しかし、そのスキャーナ部は、ユーザーの操作する為に、上部に制約があり、本体ハウジング部には、内蔵する給紙カセットや画像形成の為に必要なプロセスを収納しないといけない為、最低限のスペースが必要である。
【０００６】
その為、そのスキャーナ部と本体ハウジング部とのスペース（以下、収容スペースという）が、狭くなり、ユーザーとって、識別しづらいという問題点があった。
【０００７】
さらに、このような胴内排出型画像形成装置は、胴内排出に空洞がある為に、装置全体が弱そうなイメージがある。
【０００８】
又、スキャーナ部、本体ハウジング部、第１支柱部の前方部の色彩が、略同じであった為に、さらに、その収容スペースの視認性が悪かった。
【０００９】
そこで、本件特許発明は、その収容スペースの視認性を向上させて、排出された転写紙を取りやすくし、つまり、ユーザーの操作性を向上させる画像形成装置を提供することにある。
【課題を解決するための手段】
【００１０】
請求項１に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、スキャーナ部と本体ハウジング部の間にある用紙収容スペースの一部を構成する第１支柱部の前方部の色彩が、そのスキャーナ部と本体ハウジング部の前方部の色彩より暗く、画像形成装置本体の外壁の少なくとも一部を、第１支柱部の前方部で構成するようにしたことを特徴とする画像形成装置を提供するものである。
【００１１】
請求項２に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、スキャーナ部と本体ハウジング部の間にある用紙収容スペースの一部を構成する第１支柱部の前方部の色彩が、そのスキャーナ部と本体ハウジング部の前方部の色彩より暗く、マンセルチャート（JIS）のマンセル値における明度の差が、３以上であり、画像形成装置本体の外壁の少なくとも一部を、第１支柱部の前方部で構成するようにしたことを特徴とする画像形成装置を提供するものである。
【００１２】
請求項３に記載の発明によれば、少なくとも、第１支柱部の前方部の色彩が、マンセルチャート（JIS）のマンセル値における明度が、２以下であることを特徴とする請求項１または請求項２に記載の画像形成装置を提供するものである。
【００１３】
請求項４に記載の発明によれば、そのスキャーナ部の操作部の色彩を、第１支柱部の前方部の色彩と略同等としたことを特徴とする請求項１から請求項３までのいずれかに記載の画像形成装置を提供するものである。
【００１４】
請求項５に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持し、第１支柱部の前方部が縦方向に凹凸がある第１支柱部と、そのスキャーナ部と本体ハウジング部との間にあり、装置の後方で保持する第２支柱部とを有する画像形成装置において、第１支柱部の前方部の凹凸が、少なくとも、２面以上で構成されていて、かつ、見る角度によって、第1面のみ見える場合、第２面のみ見える場合、第1面と第２面ともに見える場合があり、さらに、胴内の用紙収容部のない方向から見た第1面の色彩よりも、胴内の用紙収容部のある方向から見た第２面の色彩のほうが暗い色彩にしたことを特徴とする請求項１から請求項４までのいずれかに記載の画像形成装置を提供するものである。
【００１５】
請求項６に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、第１支柱部の前方部が、縦方向に凹凸があり、かつ、凹凸の単位面積あたりの数量によって影の見える量を変化させており、胴内の用紙収容部のない方向の凹凸の単位面積あたりの数量よりも、胴内の用紙収容部のある方向の凹凸の単位面積あたりの数量の方を多くすることを特徴とする請求項１から請求項４までのいずれかに記載の画像形成装置を提供するものである。
【００１６】
請求項７に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、第１支柱部の前方部が、縦方向に凹凸があり、かつ、凹凸の間隔によって影の見える量を変化させており、胴内の用紙収容部のない方向の凹凸の間隔よりも、胴内の用紙収容部のある方向の凹凸の間隔の方を密にすることを特徴とする請求項１から請求項４までのいずれかに記載の画像形成装置を提供するものである。
【００１７】
請求項８に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、第１支柱部の前方部が、縦に凹凸があり、かつ、見る角度によって影の見える量を変化させていることを特徴とする請求項１から請求項４までのいずれかに記載の画像形成装置を提供するものである。
【００１８】
請求項９に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
０．６≧Ｌａ／Ｌｂ≧０．３
Lａ：後方に位置する第１支柱部の最前の前方部の位置と前方に位置するそのスキャーナ部と本体ハウジング部の最前の前方部の位置との距離
Ｌb：そのスキャーナ部の底面と胴内の用紙収容部における用紙排出トレーの最下位置との距離
上記の式を満たすことを特徴とする請求項１から請求項８までのいずれかに記載の画像形成装置を提供するものである。
【００１９】
請求項１０に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、そのスキャーナ部と本体ハウジング部との間にあり、定着された後の用紙を排出する排出機能を有し、かつ、そのスキャーナ部を保持する第１支柱部と、そのスキャーナ部と本体ハウジング部との間にあり、装置の後方で保持する第２支柱部とを有する画像形成装置において、
０．８≧Ｌａ／Ｌｃ≧０．６
Lａ：後方に位置する第１支柱部の最前の前方部の位置と前方に位置するそのスキャーナ部と本体ハウジング部の最前の前方部の位置との距離
Ｌｃ：そのスキャーナ部の底面と胴内の用紙収容部における用紙排出トレーとの間の平均距離
上記の式を満たすことを特徴とする請求項１から請求項８までのいずれかに記載の画像形成装置を提供するものである。
【発明の効果】
【００２０】
請求項１記載の発明により、その収容スペースの影と第１支柱部の前方部の色彩が略一体となるので、その収容スペースの視認性を向上させて、排出された転写紙を取りやすくし、つまり、ユーザーの操作性を向上させるという効果がある。
【００２１】
請求項２記載の発明により、第１支柱部の前方部の色彩が、そのスキャーナ部と本体ハウジング部の前方部の色彩より暗く、マンセルチャート（JIS）のマンセル値における明度の差が、３以上で差が多いことによって、その収容スペースのより視認性を向上させて、排出された転写紙を取りやすくし、つまり、ユーザーの操作性を向上させるという効果がある。
【００２２】
請求項３記載の発明により、第１支柱部の前方部のマンセル値における明度が、２以下であることによって、その収容スペースの影と第１支柱部の前方部の色彩が一体となるので、その収容スペースのより視認性を向上させて、排出された転写紙を取りやすくし、つまり、ユーザーの操作性を向上させるという効果がある。
【００２３】
請求項４記載の発明により、さらに、そのスキャーナ部の操作部の色彩を、第１支柱部の前方部の色彩と略同等としたことによって、スキャーナ部の全体を把握できるので、その収容スペースのより視認性を向上させて、排出された転写紙を取りやすくし、つまり、ユーザーの操作性を向上させるという効果がある。
【００２４】
請求項５記載の発明により、第１支柱部の前方部の凹凸が、少なくとも、２面以上で構成されていて、かつ、見る角度によって、第1面のみ見える場合、第２面のみ見える場合、第1面と第２面ともに見える場合があり、さらに、胴内の用紙収容部のない方向から見た第1面の色彩よりも、胴内の用紙収容部のある方向から見た第２面の色彩のほうが暗い色彩にしているので、胴内の用紙収納部スペースが、暗く見える方向（つまり、第２面）では、影の暗さと第２面の暗さが同調して、広く見える。
【００２５】
又、胴内の用紙収納部のない方向からは、胴内の用紙収納部スペースが、明るく見える方向（つまり、第１面）では、影の暗さ（影が見えにくい為、明るい。）と第１面の明るさが同調して、広く見える。
つまり、ユーザーの操作性を向上させるという効果がある。
【００２６】
請求項６記載の発明により、凹凸の数によって影の見える量を変化させているので、その収容スペースの視認性を向上させて、排出された転写紙を取りやすくし、つまり、ユーザーの操作性を向上させるという効果がある。
【００２７】
請求項７記載の発明により、凹凸の間隔によって影の見える量を変化させているので、その収容スペースの視認性を向上させて、排出された転写紙を取りやすくし、つまり、ユーザーの操作性を向上させるという効果がある。
【００２８】
請求項８記載の発明により、ユーザーの必要な操作性の高い画像形成装置を提供することできるという効果がある。
【００２９】
請求項９記載の発明により、上記の数式を満たすことで、その収容スペースの影と第１支柱部の前方部の色彩が一体となるので、その収容スペースの視認性を向上させて、排出された転写紙を取りやすくし、つまり、ユーザーの操作性を向上させるという効果がある。
【００３０】
請求項１０記載の発明により、上記の数式を満たすことで、その収容スペースの影と第１支柱部の前方部の色彩が一体となるので、その収容スペースの視認性を向上させて、排出された転写紙を取りやすくし、つまり、ユーザーの操作性を向上させるという効果がある。
【発明を実施するための最良の形態】
【００３１】
以下、添付図面に示す具体例に基づいて本発明を説明する。
【００３２】
尚、以下の実施形態は本発明を具体化した一例であって本発明の技術的範囲を限定する性格のものではない。
【００３３】
図１は、本発明にしたがって、胴内排出型画像形成装置を示す一例である。
【００３４】
画像形成装置１００は、基本的に、スキャーナ部２００、本体ハウジング部１２０、第１支柱部３００、第２支柱部４００とからなる。
【００３５】
さらに、スキャーナ部２００には、操作部２１０が搭載されていて、ユーザーが、操作部２１０に入力することによって、画像形成装置１００の操作を行う。
【００３６】
そして、本体ハウジング部１２０には、排出された用紙を、原稿を読取る為のスキャーナ部２００とその用紙を上部に排出するトレーを内蔵した本体ハウジング部１２０との中に収納する為の用紙収容部１１０が、本体ハウジング部１２０の上部に備えられている。
【００３７】
さらに、本体ハウジング部１２０の下部には、前カバー１０１、内蔵カセット１２１（第1内蔵カセット１２２、第２内蔵カセット１２３）が、収納されている。
【００３８】
本体ハウジング部１２０とスキャーナ部２００との間に、それぞれスキャーナ部２００を支える第１支柱部３００、第２支柱部４００がある。
【００３９】
第１支柱部３００は、画像形成装置１００の左側で、本体ハウジング部１２０に立設しながらスキャーナ部２００を支えている。
【００４０】
同じく、第２支柱部４００は、画像形成装置１００の後ろ側で、本体ハウジング部１２０に立設しながらスキャーナ部２００を支えている。
（Ａ）第１の発明  （請求項１）
第１支柱部の前方部３１０（図２）の色彩が、そのスキャーナ部と本体ハウジング部の前方部の色彩より、濃いことを特徴とする第１の発明を図１，２に基づいて、説明する。
【００４１】
図２の第１支柱部の前方部３１０を、そのスキャーナ部の前方部２２０と本体ハウジング部の前方部１２２の色彩より、濃いことを特徴とする発明である。
【００４２】
色彩が濃いということは、例えば、ＪＩＳで定められているマンセル値の差が、低く。
例えば、Ｎ１〜Ｎ２ぐらいの範囲をいう。
【００４３】
その収容スペース５００の影と第１支柱部の前方部３１０の色彩が近くなるので、その収容スペースの視認性を向上させて、排出された転写紙を取りやすくし、つまり、ユーザーの操作性を向上させるという効果がある。
（Ｂ）第２の発明  （請求項２）
第１支柱部の前方部の色彩が、そのスキャーナ部と本体ハウジング部の前方部の色彩より暗く、マンセルチャート（JIS）のマンセル値の差が、３以上であることを特徴とする第２の発明を図１，２に基づいて、説明する。
【００４４】
図２の第１支柱部の前方部３１０を、そのスキャーナ部の前方部２２０と本体ハウジング部の前方部１２２の色彩より、マンセルチャート（JIS）のマンセル値の差が、３以上であることを特徴とする発明である。
【００４５】
その収容スペース５００の影と第１支柱部の前方部３１０の色彩が近くなり、さらに、そのスキャーナ部の前方部２２０と本体ハウジング部の前方部１２２のマンセル値の差が、３以上であるのでよりスキャーナ部２００と本体ハウジング部１２０が離れたイメージを受ける為、よりその収容スペースの視認性を向上させて、排出された転写紙を取りやすくし、つまり、ユーザーの操作性を向上させるという効果がある。
（Ｃ）第３の発明  （請求項３）
少なくとも、第１支柱部の前方部の色彩が、マンセルチャート（JIS）のマンセル値が、２以下であることを特徴とする第３の発明を図１，２に基づいて、説明する。
【００４６】
図２の第１支柱部の前方部３１０を、マンセルチャート（JIS）のマンセル値を２以下であることを特徴とする発明である。
【００４７】
図２の第１支柱部の前方部３１０を、そのスキャーナ部の前方部２２０と本体ハウジング部の前方部１２２の色彩より、濃いことを特徴とする発明である。
【００４８】
その収容スペース５００の影と第１支柱部の前方部３１０の色彩が近くなるので、その収容スペースの視認性を向上させて、排出された転写紙を取りやすくし、つまり、ユーザーの操作性を向上させるという効果がある。
（Ｄ）第４の発明  （請求項４）
そのスキャーナ部の操作部の色彩を、第１支柱部の前方部の色彩と略同等としたことを特徴とする第４の発明を図１、２、３に基づいて、説明する。
【００４９】
図３の操作部２１０を、第１支柱部の前方部３１０の色彩と略同等としたことを特徴とする発明である。
【００５０】
操作部２１０と第１支柱部の前方部３１０、そのスキャーナ部の前方部２２０と本体ハウジング部の前方部１２２を差別化したので、その収容スペースと操作部２１０の視認性を向上させて、ユーザーの操作性を向上させるという効果がある。
（Ｅ）第５の発明  （請求項５）
第１支柱部の前方部の凹凸が、少なくとも、２面以上で構成されていて、さらに、第１面と第２面の異なる色彩にしたことを特徴とする第５の発明を図３、５に基づいて、説明する。
【００５１】
本件右側に開放部があり、左側に第１支柱部がある為に、影の出方が一様ではなく、ユーザーの立つ角度によって影は、変化する。
【００５２】
その為、本件の画像形成装置では、左側から胴内収容スペース５００（図２）を見ると右側からの開放部からの光によって、影は少なく、明るく見える。
【００５３】
又、右側から胴内収容スペース５００（図２）を見ると左側の第１支柱部によって、影は多く、暗く見える。
【００５４】
そこで、本件特許発明は、第１支柱部の前方部の凹凸の第1面（Ｈ面、図５）を、比較的明るい色彩（例えば、マンセル値で、Ｎ９からＮ６）で、第２面（Ｒ面、図５）を、比較的暗い色彩（例えば、マンセル値で、Ｎ１からＮ３）に、設定する。
【００５５】
そうすれば、胴内の用紙収納部スペースが、暗く見える方向（つまり、第２面）では、影の暗さと第２面の暗さが同調して、広く見える。
【００５６】
又、胴内の用紙収納部のない方向からは、胴内の用紙収納部スペースが、明るく見える方向（つまり、第１面）では、影の暗さ（影が見えにくい為、明るい。）と第１面の明るさが同調して、広く見える。
つまり、ユーザーの操作性を向上させるという効果がある。
（Ｆ）第６の発明  （請求項６）
第１支柱部の前方部が、縦方向に凹凸があり、かつ、凹凸の数によって影の見える量を変化させていることを特徴とする第６の発明を図６に基づいて、説明する。
【００５７】
本画像形成装置は、右側に開放部があり、左側に第１支柱部がある為に、影の出方が一様ではなく、ユーザーの立つ角度によって影は、変化する。
【００５８】
その為、図６による凹凸の数を次第に変化させることによって、ユーザーの立つ角度によって、第１支柱部の前方部の色彩を、変化させることができる。
【００５９】
その収容スペースの影と第１支柱部の前方部の色彩が一体となるので、その収容スペースの視認性を向上させて、排出された転写紙を取りやすくし、つまり、ユーザーの操作性を向上させるという効果がある。
（Ｇ）第７の発明  （請求項７）
第１支柱部の前方部が、縦方向に凹凸があり、かつ、凹凸の間隔によって影の見える量を変化させていることを特徴とする第７の発明を図７に基づいて、説明する。
【００６０】
本画像形成装置は、右側に開放部があり、左側に第１支柱部がある為に、影の出方が一様ではなく、ユーザーの立つ角度によって影は、変化する。
【００６１】
その為、図７による凹凸の間隔を次第に変化させることによって、ユーザーの立つ角度によって、第１支柱部の前方部の色彩を、変化させることができる。
【００６２】
その収容スペースの影と第１支柱部の前方部の色彩が一体となるので、その収容スペースの視認性を向上させて、排出された転写紙を取りやすくし、つまり、ユーザーの操作性を向上させるという効果がある。
（Ｈ）第８の発明  （請求項８）
第１支柱部の前方部が、縦に凹凸があり、かつ、見る角度によって影の見える量を変化させていることを特徴とする第１項から第４項記載の第８の発明を説明する。
【００６３】
本画像形成装置は、右側に開放部があり、左側に第１支柱部がある為に、影の出方が一様ではなく、ユーザーの立つ角度によって影は、変化する。
【００６４】
更に、第１項から第４項記載の構成を含むことによって、より、その収容スペースの影と第１支柱部の前方部の色彩が一体となるので、その収容スペースの視認性を向上させて、排出された転写紙を取りやすくし、つまり、ユーザーの操作性を向上させるという効果がある。
（Ｉ）第９の発明  （請求項９）
０．６≧Ｌａ／Ｌｂ≧０．３
Lａ：後方に位置する第１支柱部の最前の前方部の位置と前方に位置するそのスキャーナ部と本体ハウジング部の最前の前方部の位置との距離
Ｌb：そのスキャーナ部の底面と胴内の用紙収容部における用紙排出トレーの最下位置との距離
上記の式を満たすことを特徴とする第９の発明を図３、８に基づいて、説明する。
【００６５】
従来、このような胴内排出型画像形成装置では、スキャーナ部２００、本体ハウジング部１２０、第１支柱部３００の前方部の位置は、同一若しくは、略同一であり、つまり、ほぼLａ＝０〜３０（ｍｍ）、Ｌb＝２００〜４００（ｍｍ）、Ｌａ／Ｌｂ＝０〜０．１５の範囲である。
【００６６】
さらに、従来は、上記の数式をたてて、その数式を満たす範囲に基づいて、第１支柱部３００の前方部の位置を、設定するという技術思想はなかった。
【００６７】
つまり、（Ｌａ／Ｌｂ）の値で、第１支柱部３００の前方部の最適な位置を決めていなかった。
【００６８】
そこで、上記の数式を満たすことで、操作する状態（図８のア）では、第１支柱部の最前の前方部は見えず、少し離れた状態の位置にいる（図８のイ）時は、第１支柱部の最前の前方部は、はっきりと確認できる位置にある。
【００６９】
例えば、本件特許発明の胴内排出型画像形成装置では、Lａ＝８０（ｍｍ）、Ｌb＝２００（ｍｍ）、Ｌａ／Ｌｂ＝０．４である。
【００７０】
つまり、ユーザーは、操作する状態（図８のア）では、第１支柱部の最前の前方部は見えないため、そのスキャーナ部と本体ハウジング部との間に距離を感じることができる。
又、少し離れた状態の位置にいる（図８のイ）では、第１支柱部の最前の前方部はよく見える為、そのスキャーナ部と本体ハウジング部との間に一体を感じることができ、装置全体に力強さを感じることができる。
【００７１】
さらに、詳しく説明すると、このような胴内排出型画像形成装置は、胴内排出に空洞がある為に、装置全体が弱そうなイメージがある。
【００７２】
ここで、（Ｌａ／Ｌｂ）≧０．６の場合は、第１支柱部の最前の前方部が、図８のア、イの位置の両方とも、見えなくなる傾向になり、装置全体に強度的な問題が生じる。
【００７３】
又、（Ｌａ／Ｌｂ）≦０．３の場合は、第１支柱部の最前の前方部が、図８のア、イの位置の両方とも、見える傾向になり、スキャーナ部２００、本体ハウジング部１２０、第１支柱部３００に一体感がでるので、胴内排出型スペースから、紙が取り出しにくくなる。
（Ｊ）第１０の発明  （請求項１０）
０．８≧Ｌａ／Ｌｃ≧０．６
Lａ：後方に位置する第１支柱部の最前の前方部の位置と前方に位置するそのスキャーナ部と本体ハウジング部の最前の前方部の位置との距離
Ｌｃ：そのスキャーナ部の底面と胴内の用紙収容部における用紙排出トレーとの間の平均距離
上記の式を満たすことを特徴とする第１０の発明を図３、８に基づいて、説明する。
【００７４】
例えば、本件特許発明の胴内排出型画像形成装置では、Lａ＝８０（ｍｍ）、Ｌｃ＝１２０（ｍｍ）、Ｌａ／Ｌｃ＝０．６６７である。
【００７５】
第９の発明（請求項９）と同様に、上記の数式を満たすことで、操作する状態（図８のア）では、第１支柱部の最前の前方部は見えず、少し離れた状態の位置にいる（図８のイ）時は、第１支柱部の最前の前方部は、はっきりと確認できる位置にある。
【００７６】
つまり、ユーザーは、操作する状態（図８のア）では、第１支柱部の最前の前方部は見えないため、そのスキャーナ部と本体ハウジング部との間に距離を感じることができる。
又、少し離れた状態の位置にいる（図８のイ）では、第１支柱部の最前の前方部はよく見える為、そのスキャーナ部と本体ハウジング部との間に一体を感じることができ、装置全体に力強さを感じることができる。
【００７７】
ここで、（Ｌａ／Ｌｃ）≧０．８の場合は、第１支柱部の最前の前方部が、図８のア、イの位置の両方とも、見えなくなる傾向になり、装置全体に強度的な問題が生じる。
【００７８】
又、（Ｌａ／Ｌｃ）≦０．６の場合は、第１支柱部の最前の前方部が、図８のア、イの位置の両方とも、見える傾向になり、スキャーナ部２００、本体ハウジング部１２０、第１支柱部３００に一体感がでるので、胴内排出型スペースから、紙が取り出しにくくなる。
【図面の簡単な説明】
【００７９】
【図１】本発明の全体図。
【図２】本発明の正面図でエリアを示した図。
【図３】本発明の正面図で、胴内スペースを示した図。
【図４】本発明の第１支柱部の断面図。
【図５】本発明の断面図  （請求項５）。
【図６】本発明の断面図  （請求項６）。
【図７】本発明の断面図  （請求項７）。
【図８】本発明の右側面図（請求項９から１０）。
【符号の説明】
【００８０】
１００  画像形成装置
１０１  前カバー
１２０  本体ハウジング部
１２１  内蔵カセット
２００  スキャーナ部
２１０  操作部
３００  第１支柱部
３１０  第１支柱部の前方部
４００  第２支柱部
【図１】
0003705799.tif 000002
【図２】
0003705799.tif 000003
【図３】
0003705799.tif 000004
【図４】
0003705799.tif 000005
【図５】
0003705799.tif 000006
【図６】
0003705799.tif 000007
【図７】
0003705799.tif 000008
【図８】
0003705799.tif 000009